(57)【要約】【課題】  端末網制御装置からＴＡに対して発信者番号通知機能を有効にするための設定データを送出して、確実に設定を行えるようにする。【解決手段】  端末網制御装置は、センタ側装置に発信して、発信者番号通知機能を有効にするための設定データを入手する。端末網制御装置からＴＡに設定データをＰＢ信号で送出し、ＴＡは、発信者番号通知機能を有効に設定する。ＩＳＤＮ回線を通じて呼び出したとき、端末網制御装置は、ＴＡからの呼出信号がプレリンガー信号であるか検知して、ＴＡの発信者番号通知機能が有効になっているか確認する。有効になっていない場合、端末網制御装置は、設定データの送信タイミングを変更して、ＴＡに再送出し、ＴＡの設定を行う。【選択図】  図５
2006041651.tif 000002
【特許請求の範囲】
【請求項１】
デジタル回線網に接続機器を介して接続され、センタ側装置との間でデータ伝送を行う端末網制御装置であって、前記接続機器の通知機能を有効にするための設定データを前記センタ側装置から入手する手段と、前記設定データを前記接続機器に送出して通知機能を有効に設定する手段と、前記接続機器の通知機能が有効になっているか確認する手段と、有効になっていない場合、前記設定データの送信タイミングを変更して前記接続機器に再送出し、通知機能を有効に設定する手段とを備えたことを特徴とする端末網制御装置。
【請求項２】
前記通知機能が発信者番号通知機能であることを特徴とする請求項１記載の端末網制御装置。
【請求項３】
デジタル回線網に接続された接続機器から送出されるプレリンガー信号に続く発信者番号信号を検出し、この検出された発信者番号がセンタ側装置からの発信であるとき、センタ側装置との間でデータ伝送を行う端末網制御装置であって、前記センタ側装置に発信して、前記接続機器の発信者番号通知機能を有効にするための設定データを前記センタ側装置から受信する手段と、前記設定データを前記接続機器に送出して接続機器の発信者番号通知機能を有効に設定する手段と、前記接続機器を通じて外部から受信した呼出信号を検知する手段と、呼出信号がプレリンガー信号であるか否かを検知することにより、前記接続機器の発信者番号通知機能が有効になっているか確認する手段と、プレリンガー信号を検知しないとき、前記設定データの送信タイミングを変更して前記接続機器に再送出し、発信者番号通知機能を有効に設定する手段とを備えたことを特徴とする端末網制御装置。
【請求項４】
接続機器への設定が失敗した場合、失敗したことをセンタ側装置へ通報する手段と、失敗したことを報知する手段とのうち少なくとも１つを備えたことを特徴とする請求項１〜３のいずれか記載の端末網制御装置。
【請求項５】
設定用の外部機器が用いられ、センタ側装置に発信するために必要な情報を前記外部機器から入手することを特徴とする請求項１〜４のいずれかに記載の端末網制御装置。
【請求項６】
送信タイミングを変更した設定データを外部機器から入手する手段を備え、入手した前記設定データを接続機器に再送出することを特徴とする請求項５記載の端末網制御装置。
【請求項７】
設定データの送信タイミングが複数記憶され、各送信タイミングで順に設定データを連続して再送出することを特徴とする請求項１〜５のいずれかに記載の端末網制御装置。
【請求項８】
前記通知機能が発信者番号通知機能である場合において、接続機器の発信者番号通知機能以外の他の機能を設定するための設定データを入手する手段と、発信者番号通知機能の設定終了後に前記設定データを前記接続機器に送出して他の機能を設定する手段とを備えたことを特徴とする請求項１〜７のいずれかに記載の端末網制御装置。
【請求項９】
前記通知機能が発信者番号通知機能である場合において、接続機器に発信者番号通知機能が設定できないと判定したとき、前記接続機器からのリンガー信号をカウントする手段と、所定回数のリンガー信号を受信したとき、センタ側装置からの発信であると判断して、通信を行う手段とを備えたことを特徴とする請求項１〜８のいずれかに記載の端末網制御装置。
【請求項１０】
前記通知機能が発信者番号通知機能である場合において、接続機器に発信者番号通知機能が設定できないと判定したとき、前記接続機器を通じての呼出信号を無視する手段と、端末側からセンタ側装置に発信するモードに変更する手段とを備え、定期的に端末側から前記センタ側装置に発信することを特徴とする請求項１〜９のいずれかに記載の端末網制御装置。
【発明の詳細な説明】
【技術分野】
【０００１】
本発明は、ＩＳＤＮ回線網等のデジタル回線網を利用して、ガスメータや水道メータ等の端末機器からの検針データや異常通報をセンタ側装置に送信するデータ通信システムにおける端末網制御装置に関する。
【背景技術】
【０００２】
端末網制御装置とセンタ側装置との間でデジタル回線網を使用してデータ伝送を行うデータ通信システムにおいては、端末網制御装置にメータや接点機器等の端末機器が接続されるとともに電話機が接続される。端末網制御装置は、デジタル回線網に接続するための接続機器を介してＩＳＤＮ回線に接続され、ＩＳＤＮ回線を使用できるようになる。接続機器としては、ターミナルアダプタ（ＴＡ）が用いられる。ＴＡは、回線終端装置（ＤＳＵ）の機能を含んでいる。ＴＡのアナログ端子に端末網制御装置が接続され、端末側交換局、センタ側交換局を経てセンタ側装置とＩＳＤＮ回線で結ばれている。なお、接続機器として、ＴＡとＤＳＵとを別体としてもよく、あるいはＴＡの機能を備えたルータであってもよい。
【０００３】
端末網制御装置をセンタ側から起動するには、いくつかの通信方式があり、リンガー信号を利用するリンギング着信通信方式と、プレリンガー信号の後に送出される発信者番号信号を利用するＩＳＤＮ通信方式がある。
【０００４】
リンギング着信通信方式の場合、ＴＡから最初に極性反転信号、次にリンガー信号が発せられる。そして、リンガー信号が端末網制御装置に設定されているリンガー着信回数と一致する回数だけ鳴動したとき、端末網制御装置は、自端末宛の着信であると判断し、センタ側装置との通信を行う。ただし、この通信方式では、端末網制御装置よりも後方に接続された電話機を鳴動させる欠点がある。
【０００５】
ＩＳＤＮ通信方式の場合、ＴＡからまず極性反転信号、次にプレリンガー信号（短いリンガー信号）が発せられる。端末網制御装置は、極性反転信号を受信したときに電話機を鳴動させないため、リレーで電話機を回線網から切り離す。そして、端末網制御装置の一次応答（オフフック）があると、ＴＡから発信者番号信号が発せられる。発信者番号信号が端末網制御装置に設定されているセンタ番号と一致すれば、端末網制御装置は、自端末宛の着信と判断し、二次応答（オンフック）の後、リンガー信号を確認してからオフフックして、センタ側装置との通信を行う。発信者番号信号がセンタ番号と一致しない場合、一般からの電話であると判断し、電話機をＴＡのアナログ端子を通じて回線網に接続させるようにリレーを切り替え、電話機が鳴動するようにする。この通信方式であれば、電話機を鳴動させることなく、センタ側装置と通信できる。
【０００６】
端末網制御装置は、プレリンガー信号の着信により、発信者番号が付加された発信者番号信号を検出するように動作する。この場合、ＴＡのアナログ端子から発信者番号信号が送出されるためには、発信者番号通知機能を有効にするようにＴＡの動作モードを設定する必要がある。
【０００７】
ＴＡの動作モードの設定方法としては、ＴＡのデータポートに接続したパーソナルコンピュータによる通信操作により行うか、またはアナログ端子に接続した電話機のプッシュボタンをＴＡの取扱説明書に記載された手順を参照しながら操作し、ＰＢ（プッシュボタン）信号により設定する。
【０００８】
例えば、特許文献１には、ＴＡの動作モードを設定するため、端末網制御装置が、動作モード設定のための設定信号の操作手順を記憶しておき、この設定信号をＰＢ信号でＴＡに送出して、ＴＡの動作モードを設定することが記載されている。
【特許文献１】特開２００１−１９７２１６号公報
【発明の開示】
【発明が解決しようとする課題】
【０００９】
端末網制御装置を新しく設置するとき、あるいはアナログ回線網からＩＳＤＮ回線網に変更するとき、屋内に設置されているＴＡと屋外の端末網制御装置との配線工事を完了した後、ＴＡの動作モードを設定する。ユーザーに許可を得て、宅内に入り、パーソナルコンピュータを操作するか、あるいは電話機のプッシュボタンを操作して設定を行う。この場合、ＴＡの動作モードの設定に時間がかかるなど、ユーザーに迷惑をかけたり、さらには端末網制御装置の取り付けを断られたりすることがあった。
【００１０】
特許文献１では、上記のようにＴＡに対して直接入力する必要がなく、屋外にある端末網制御装置に対して操作すればよく、ユーザーを煩わすことなくＴＡの設定を行える。しかし、ＴＡは、製造元に応じて機種が様々であり、同じ設定信号であっても、機種によって設定信号を受信して処理するタイミングが異なることがある。そのため、単純にＰＢ信号による設定信号を順に送出するだけでは、ＴＡの設定に失敗するおそれがある。
【００１１】
本発明は、上記に鑑み、ＴＡ等の接続機器に対して発信者番号通知機能の設定を行う場合、設定失敗の可能性を低減できる端末網制御装置の提供を目的とする。
【課題を解決するための手段】
【００１２】
本発明は、デジタル回線網に接続機器を介して接続され、センタ側装置との間でデータ伝送を行う端末網制御装置であって、前記接続機器の通知機能を有効にするための設定データを前記センタ側装置から入手する手段と、前記設定データを前記接続機器に送出して通知機能を有効に設定する手段と、前記接続機器の通知機能が有効になっているか確認する手段と、有効になっていない場合、前記設定データの送信タイミングを変更して前記接続機器に再送出し、通知機能を有効に設定する手段とを備えたものである。なお、設定データをセンタ側装置から入手する場合、端末側からセンタ側装置に発信して、設定データを送信するように要求する。あるいはセンタ側装置から端末網制御装置に発信して、センタ側装置が設定データを送信するようにしてもよい。また、前記通知機能が発信者番号通知機能であってもよい。
【００１３】
例えば、ＩＳＤＮ回線網では、接続機器から端末網制御装置に、プレリンガー信号に続いて発信者番号信号が送信され、発信者番号がセンタ側装置からの発信であるとき、端末網制御装置とセンタ側装置との間でデータ伝送を行う。接続機器から発信者番号が通知されるようにするため、接続機器の通知機能の１つである発信者番号通知機能を有効にする設定が必要となる。
【００１４】
そこで、端末網制御装置は、センタ側装置に発信して、前記接続機器の発信者番号通知機能を有効にするための設定データを前記センタ側装置から受信する手段を備え、必要な設定データをセンタ側装置から入手する。そして、端末網制御装置は、設定データを接続機器に送出し、接続機器は、発信者番号通知機能を有効に設定する。
【００１５】
既設の端末網制御装置であれば、センタ側装置に発信するが、端末網制御装置が新設あるいは交換されたような場合、センタ側装置に関する情報を有していない。そこで、設定用の外部機器を端末網制御装置に接続することが好ましく、端末網制御装置は、センタ側装置に発信するために必要な情報を外部機器から入手できる。
【００１６】
接続機器の発信者番号通知機能が有効になっているか確認するため、端末網制御装置は、接続機器を通じて外部から受信した呼出信号を検知する手段と、呼出信号がプレリンガー信号であるか否かを検知することにより、前記接続機器の発信者番号通知機能が有効になっているか確認する手段とを備える。
【００１７】
すなわち、デジタル回線網に繋がっているセンタ側装置や電話機等の通信機器によって、デジタル回線網を通じて端末網制御装置を呼び出すと、接続機器は、呼び出しに応じて端末網制御装置に呼出信号を送信する。端末網制御装置は、この呼出信号を検知して、プレリンガー信号か否かを判断する。プレリンガー信号であれば、次に発信者番号信号がくるので、接続機器の発信者番号通知機能が有効になるように設定されていると確認できる。
【００１８】
端末網制御装置は、プレリンガー信号を検知しないとき、接続機器の発信者番号通知機能が有効になっていないと判断して、前記設定データの送信タイミングを変更して前記接続機器に再送出する。設定データを送出しても設定できない原因としては、設定データが正しくても、設定データの受信するタイミングが接続機器によって異なる場合があり、タイミングがずれていると、接続機器は受信した設定データを正しく認識できない。
【００１９】
そこで、送信タイミングを変更して設定データを再送出すれば、接続機器は設定データを認識でき、設定可能となる。端末網制御装置は、設定データの送信タイミングのデータを複数記憶していることが好ましい。設定データを再送出するとき、複数の送信タイミングの中から１つの送信タイミングを選択し、その送信タイミングで設定データを送出する。この場合、１回ずつ送信タイミングを変更して再送出し、その都度発信者番号通知機能が有効になっているか確認する。したがって、確認する回数は、記憶されている送信タイミングに応じて複数回となる。
【００２０】
あるいは、各送信タイミングで順に設定データを連続して再送出するようにしてもよい。この場合、送信タイミングの異なる複数の設定データが一度に再送出されることになる。接続機器では、自己の受信するタイミングに適合した設定データだけを認識する。そのため、発信者番号通知機能が有効になっているかの確認は、最大２回となる。
【００２１】
端末網制御装置は、送信タイミングを変更した設定データを設定用の外部機器から入手してもよい。この場合、端末網制御装置は、送信タイミングのデータを記憶していないので、これらのデータを最新のものに更新する必要がない。外部機器が最新の送信タイミングのデータを準備しておけば、新機種の接続機器を使用しても、適切な送信タイミングに基づいて設定データを再送出できる。したがって、どのような接続機器に対しても、発信者番号通知機能を有効にする設定を確実に行える。なお、通知機能は、発信者番号通知機能以外に、サブアドレス通知機能、ユーザ間情報通知機能があり、これらの通知機能を設定する場合でも、同様に設定動作を行えばよい。
【００２２】
また、端末網制御装置は、接続機器の発信者番号通知機能以外の他の機能を設定するための設定データを入手する手段と、発信者番号通知機能の設定終了後に前記設定データを前記接続機器に送出して他の機能を設定する手段とを備えるようにしてもよい。センタ側装置から発信者番号通知機能を有効にするための設定データを入手するとき、同時に他の機能を設定するための設定データも入手する。最初の設定データにより設定されたのを確認してから、他の機能用の設定データを送出するので、まとめて設定データを送出し、一度に設定する場合に比べて、設定に失敗したときの再送出がなくなり、効率よく設定できる。
【００２３】
端末網制御装置は、１回目の設定データの送出によって設定できなかったとき、送信タイミングを変更して設定データを再送出する。このように複数回設定を試みても、設定できない場合、端末網制御装置は、センタ側装置や外部機器に通報するようにしてもよい。
設定できないとき、発信者番号通知機能を利用した通信が行えない。そこで、センタ側装置とのデータ通信を行えるように、端末網制御装置は、接続機器からのリンガー信号をカウントする手段と、所定回数のリンガー信号を受信したとき、センタ側装置からの発信であると判断して、通信を行う手段とを備えるようにしてもよい。これは、いわゆるリンギング着信通信方式である。
【００２４】
また、端末網制御装置は、接続機器を通じての呼出信号を無視する手段と、端末側からセンタ側装置に発信するモードに変更する手段とを備えるようにしてもよい。このとき、定期的に端末側からセンタ側装置に発信するようにする。以上の２つのうち、いずれかを採用することにより、発信者番号通知機能を利用した通信が行えなくても、端末網制御装置とセンタ側装置との間でデータ伝送が可能となり、データ通信システムとして機能させることができる。
【発明の効果】
【００２５】
本発明によると、端末網制御装置から接続機器に通知機能を有効にするための設定データを送出したとき、接続機器を設定できなくても、自動的に送信タイミングを調節して設定データを再送出するので、端末網制御装置から発信者番号通知機能等の通知機能を接続機器に設定するときに起こり得る設定失敗の可能性を低減することができる。
【発明を実施するための最良の形態】
【００２６】
（第１実施形態）
本実施形態のデジタル回線網を利用したデータ通信システムを図１に示す。データ通信システムの構成は、従来と同じであり、１１はセンタ側装置、１２はセンタ側交換局、１３はＩＳＤＮ回線、１４は端末側交換局、１５は端末網制御装置、１６はメータ、１７は接点機器、１８は電話機、１９は接続機器としてのターミナルアダプタ（ＴＡ）である。なお、ＴＡ１９は、回線終端装置（ＤＳＵ）の機能を含む。メータ１６としては、例えば水道メータ、ガスメータ、電気メータ等がある。接点機器１７としては、緊急ボタン等がある。
【００２７】
端末網制御装置１５は、図２に示すように、センタ側装置１１とデータを送受信する通信回路２５とマイクロコンピュータ２０と、電話機１８のオフフックを検知するオフフック検知回路２１と、電源を供給する電池２２と、メータ１６や接点機器１７からマイクロコンピュータ２０へ信号を送信するインターフェイス回路２３と、ＴＡ１９のアナログ端子と電話機１８の接続または切断を行うリレー２４とを備えている。マイクロコンピュータ２０は、データを記憶するメモリを有している。端末網制御装置１５は、ＴＡ１９のアナログ端子に接続され、ＴＡ１９がＩＳＤＮ回線１３に接続される。
【００２８】
端末網制御装置１５に対してセンタ側装置１１からの起動により通信を行う通信方式として、ＩＳＤＮ通信方式、リンギング着信通信方式の２種類が可能である。
【００２９】
図３にＩＳＤＮ通信方式によるセンタ起動の通信フローチャートを示す。この通信方式では、交換局１４からの呼出信号に応じてＴＡ１９からプレリンガー信号、発信者番号信号、リンガー信号の順に送出するようになっている。
【００３０】
すなわち、センタ側装置１１から呼び出しがあった場合、ＴＡ１９のアナログ端子から極性反転信号の後、プレリンガー信号が送出される（ステップＳ１１）。プレリンガー信号は、リンガー信号より短い信号で、約０．５秒間隔で鳴動するリンガー信号である。端末網制御装置１５は、プレリンガー信号を検出すると、一次応答（オフフック）をする（ステップＳ１２）。ＴＡ１９は、端末網制御装置１５からの一次応答を検知すると、発信者番号信号を送出する（ステップＳ１３）。端末網制御装置１５は、発信者番号信号を受信すると、あらかじめ設定されているセンタ側装置１１の電話番号と一致するかしないかを判定する（ステップＳ１４）。
【００３１】
センタ番号と一致しない場合、端末網制御装置１５は、一般の電話からの呼び出しであると判断し、電話機１８にリンガー信号が流れるようにリレー２４を切り替え、電話機１８とＴＡ１９のアナログ端子とを接続する（ステップＳ１５）。一致する場合、端末網制御装置１５は、オンフックし、リンガー信号待ち状態となる（ステップＳ１６）。ＴＡ１９がリンガー信号を送出する（ステップＳ７）と、端末網制御装置１５は、リンガー信号を確認し、オフフックする（ステップＳ１８）。端末網制御装置１５とセンタ側装置１１とのリンクが確立し、通信が開始される（ステップＳ１９）。端末網制御装置１５は、センタ側装置１１からの電文を受信すると、その指示に従って、例えばメータ１６の検針等を行い、そのデータをセンタ側装置１１に送信する。
【００３２】
図４にリンギング着信通信方式によるセンタ起動の通信フローチャートを示す。センタ側装置１１が端末網制御装置１５を呼び出しするとき、ＴＡ１９から極性反転信号が送出され（ステップＳ２１）、続いてリンガー信号が送出される（ステップＳ２２）。端末網制御装置１５は、リンガー信号の着信回数をカウントして、あらかじめ設定されている所定回数とリンガー着信回数とが一致するか確認をする（ステップＳ２３）。一致しなければ、タイムアウト時間に達したかを確認し（ステップＳ２４）、タイムアウトでなければ、再度リンガー信号の受信待ち状態となる。タイムアウトになると、スタンバイ状態に戻る（ステップＳ２６）。リンガー着信回数が所定回数に一致するとき、端末網制御装置１５は、オフフックし、センタ側装置１１からの電文を待つ状態となる（ステップＳ２５）。
【００３３】
ＩＳＤＮ通信方式であれば、ＩＳＤＮ回線１３に対して端末網制御装置１５よりも後方にある電話機１８を鳴動させずにデータ伝送を行える。この通信方式を実行可能とするには、ＴＡ１９の発信者番号通知機能が有効になるように、ＴＡ１９の動作モードを設定する必要がある。発信者番号通知機能とは、かけてきた相手方の電話番号の情報をＴＡ１９のアナログ端子に接続されている機器(例えば、端末網制御装置)に情報通知する機能である。
【００３４】
そのため、端末網制御装置１５は、ＴＡ１９の発信者番号通知機能を有効にするための設定データをセンタ側装置１１から入手する手段と、設定データをＴＡ１９に送出して発信者番号通知機能を有効に設定する手段と、ＴＡ１９の発信者番号通知機能が有効になっているか確認する手段と、有効になっていない場合、設定データの送信タイミングを変更してＴＡ１９に再送出し、発信者番号通知機能を有効に設定する手段とを備えている。
【００３５】
この設定は、ＩＳＤＮ回線１３のユーザー宅に端末網制御装置１５を設置するとき、アナログ回線からＩＳＤＮ回線１３に変更され、新しくＴＡ１９を設置するとき、ＩＳＤＮ回線１３に接続されていたＴＡ１９が交換されたときのいずれかに行う。
【００３６】
次に、ＴＡ１９の動作モードを設定する必要が生じたときのＴＡ設定動作を図５に基づいて説明する。まず、端末網制御装置１５に設定表示装置２６を接続する（ステップＳ３１）。設定表示装置２６は、ＬＥＤあるいは液晶ディスプレイ等の表示器を有し、端末網制御装置１５に対してセンタ側装置１１との通信に必要な情報を設定するものである。この設定表示装置２６からセンタ側装置１１に発信するための情報、例えば電話番号等が送信され、端末網制御装置１５はこの情報を受信して（ステップＳ３２）、設定情報としてメモリに記憶する。
【００３７】
端末網制御装置１５は、センタ側装置１１へ発信するためにダイヤルする（ステップＳ３３）。回線が通じてセンタ側装置１１と接続する（ステップＳ３４）と、端末網制御装置１５は、ＴＡ１９が発信者番号通知機能を有効とする動作モードに設定するための設定データをセンタ側装置１１から受信し（ステップＳ３５）、メモリに記憶する。受信後、端末網制御装置１５は、一旦センタ側装置１１との通信を終了し（ステップＳ３６）、オフフックする（ステップＳ３７）。以上の動作によって、端末網制御装置１５は、発信者番号通知機能を有効にするための設定データをセンタ側装置１１から入手することができる。なお、端末網制御装置１５は、設定データを入手するために、センタ側装置１１にＴＡ１９の設定を行うことおよびＴＡ１９の機種に関する情報を送信している。これらの情報は、設定表示装置から入力される。
【００３８】
そして、端末網制御装置１５は、入手した設定データをＴＡ１９のアナログ端子を通じてＰＢ信号により送出する（ステップＳ３８）。設定データは、ＰＢ信号の「０」〜「９」、「＊」、「＃」で構成され、決められたタイミングで送信される。また、ＴＡ１９の設定にフッキング動作が必要であるとき、設定データとして、例えば「Ｈ」を挿入し、フッキング動作の代わりとする。一般的に、通常のダイヤルと区別するため、ＴＡ１９を設定をするときのダイヤルを「＊」で始めたり、最初にフッキングしてからダイヤルすることにより、ＴＡ１９は、設定動作を認識できる。ＴＡ１９では、設定データにしたがって発信者通知機能を有効にする。これによって、端末網制御装置１５は、設定データをＴＡ１９に送出して発信者番号通知機能を有効に設定することができる。
【００３９】
以上のように、ＴＡ１９の動作モードの設定が完了すると、一定時間後に、センタ側装置１１あるいは設置工事者の携帯電話から端末網制御装置１５へダイヤルして呼び出しを行う（ステップＳ３９）。交換局１４からの呼び出しに応じてＴＡ１９は、端末網制御装置１５に呼出信号を送出する。端末網制御装置は、受信した呼出信号を検知し、プレリンガー信号であるかリンガー信号であるかを判定する（ステップＳ４０）。
【００４０】
呼出信号がプレリンガー信号である場合、ＴＡ１９の設定が正常にできたということであり、端末網制御装置１５は、センタ側装置１１へ設定が正常終了したことを通報する。また、端末網制御装置１５にＬＥＤ表示器や液晶ディスプレイ等の表示部が設けられている場合には、ＬＥＤ表示器を点灯したり、液晶ディスプレイに文字や図形、絵などを表示することにより、正常終了したことを設置工事者に知らせてもよい（ステップＳ４１）。あるいは、設定表示装置２６に設けられたＬＥＤ表示器や液晶ディスプレイ等の表示部に設定が正常終了したことを表示してもよい。また、センタ側装置１１への通報と表示部での表示の両方を行ってもよい。以上の動作によって、端末網制御装置１５は、ＴＡ１９の発信者番号通知機能が有効になっているかを確認することができる。
【００４１】
呼出信号がリンガー信号である場合、ＴＡ１９の設定が正常に行われていないので、再度ＴＡ１９の設定を試みる。ここで、無限に再設定を繰り返さないように、端末網制御装置１５は、あらかじめ規定した回数、例えばプレリンガー信号の判定処理を１０回行ったかどうか確認する（ステップＳ４２）。プレリンガー信号の判定処理を１０回行っていない場合、端末網制御装置１５は、ＴＡ１９からの呼出信号の送出が停止するのを確認してから（ステップＳ４４）、外部との通信を切断する。そして、図８に示すような送信タイミングの複数のパターンがメモリに記憶されており、この中から１つのパターンを選択して、ＰＢ信号の送信時間および休止時間を変更し、フッキングが必要である場合はフッキング時間も変更する。端末網制御装置１５は、送信タイミングを変更して設定データをＴＡ１９に再送出する（ステップＳ４５）。ＴＡ１９は、設定データにしたがって発信者通知機能が有効になるように動作モードを設定する。一定時間経過した後、ステップＳ３９に戻り、センタ側装置１１または携帯電話で端末網制御装置１５の呼び出しを行う。
【００４２】
端末網制御装置１５は、同様にＴＡ１９からの呼出信号がプレリンガー信号であるか判定する（ステップＳ４０）。プレリンガー信号であれば、ＴＡ１９の設定が正常にできたので、センタ側装置１１に通報するか、端末網制御装置１５にＬＥＤ表示器や液晶ディスプレイ等の表示部が設けられている場合には、ＬＥＤ表示器を点灯したり、液晶ディスプレイに文字や図形、絵などを表示することにより、正常終了したことを設置工事者に知らせてもよい（ステップＳ４１）。あるいは、設定表示装置２６に設けられたＬＥＤ表示器や液晶ディスプレイ等の表示部に設定が正常終了したことを表示してもよい。また、センタ側装置１１への通報と表示部での表示の両方を行ってもよい。
【００４３】
以上の動作によって、ＴＡ１９における設定データを受信して処理するタイミングの違いに起因する設定の失敗があっても、設定データの送信タイミングを変更してＴＡ１９に再送出することにより、確実に発信者番号通知機能を有効にする設定を行える。
【００４４】
ＴＡ１９からの呼出信号がプレリンガー信号でない場合、端末網制御装置１５は、異なる送信タイミングのパターンを選択して、同様に設定データの再送出を行い、プレリンガー信号の検知を行う。プレリンガー信号の判定処理を１０回行った場合、これ以上繰り返してもＴＡ１９の設定ができない。すなわち、送信タイミングのパターンが全部で１０通りであるので、これ以上送信タイミングを変更することができない。この場合、端末網制御装置１５は、センタ側装置１１へ異常終了を通報する。また、端末網制御装置１５にＬＥＤ表示器や液晶ディスプレイ等の表示部が設けられている場合には、ＬＥＤ表示器を点灯したり、液晶ディスプレイに文字や図形、絵などを表示することにより、異常終了したことを設置工事者に知らせてもよい（ステップＳ４３）。あるいは、設定表示装置２６に設けられたＬＥＤ表示器や液晶ディスプレイ等の表示部に設定が異常終了したことを表示してもよい。また、センタ側装置１１への通報と表示部での表示の両方を行ってもよい。この場合、ＴＡ１９に対して直接入力することによって、動作モードを設定すればよい。
【００４５】
（第２実施形態）
本実施形態では、端末網制御装置１５は、１回目の設定データの送出によってＴＡ１９の設定をできないとき、図８に示すように複数記憶されている送信タイミングで順に設定データを再送出する。その他の設定動作は、第１実施形態と同じである。
【００４６】
すなわち、端末網制御装置１５からＴＡ１９の設定を行うとき、図６に示すように、ステップＳ５１〜Ｓ６０までの動作は、図５に示すステップＳ３１〜Ｓ４０までの動作と同じである。１回目の設定動作において、ＴＡ１９からの呼出信号がプレリンガー信号でない場合、端末網制御装置１５は、ＴＡ１９からの呼出信号の送出が停止するのを確認してから（ステップＳ６４）、複数の送信タイミングのパターンで設定データを連続してＴＡ１９に再送出する（ステップＳ６５）。
【００４７】
ＴＡ１９は、複数の送信タイミングで送出された設定データのうち、適合する送信タイミングの設定データに基づいて、発信者番号通知機能を有効にするように動作モードの設定を行う。そして、一定時間経過した後、ステップＳ５９に戻り、センタ側装置１１または携帯電話から端末網制御装置１５の呼び出しを行う。端末網制御装置１５は、ＴＡ１９からの呼出信号によって発信者番号通知機能が有効になっているかを確認する。
【００４８】
呼出信号がプレリンガー信号である場合、端末網制御装置１５は、センタ側装置１１に設定が正常終了したことを通報する。端末網制御装置１５にＬＥＤ表示器や液晶ディスプレイ等の表示部が設けられている場合には、ＬＥＤ表示器を点灯したり、液晶ディスプレイに文字や図形、絵などを表示する（ステップＳ６１）。あるいは、設定表示装置２６に設けられたＬＥＤ表示器や液晶ディスプレイ等の表示部に設定が正常終了したことを表示してもよい。また、センタ側装置１１への通報と表示部での表示の両方を行ってもよい。
以上の動作によって、ＴＡ１９における設定データを受信して処理するタイミングの違いに起因する設定の失敗があっても、確実に発信者番号通知機能を有効にする設定を行うことができる。しかも、設定データを繰り返し再送出する回数が減るので、設定作業にかかる時間を短縮できる。
【００４９】
呼出信号がプレリンガー信号でない場合、２回目の判定処理が行われたことになる（ステップＳ６２）。端末網制御装置１５は、これ以上ＴＡ１９の設定ができないので、センタ側装置１１へ異常終了を通報するか、あるいは端末網制御装置１５にＬＥＤ表示器や液晶ディスプレイ等の表示部が設けられている場合には、ＬＥＤ表示器を点滅したり、液晶ディスプレイに文字や図形、絵などを表示することにより、異常終了したことを設置工事者に知らせてもよい（ステップＳ６３）。あるいは、設定表示装置２６に設けられたＬＥＤ表示器や液晶ディスプレイ等の表示部に設定が異常終了したことを表示してもよい。また、センタ側装置１１への通報と表示部での表示の両方を行ってもよい。
【００５０】
（第３実施形態）
本実施形態では、端末網制御装置１５は、送信タイミングを変更した設定データを設定表示装置２６から入手して、送信タイミングを変更した設定データをＴＡ１９に送出する。設定表示装置２６は、送信タイミングのパターンに関するデータを端末網制御装置１５の代わりに用意しており、端末網制御装置１５からの要求によりそのデータを送信する。その他の設定動作は、第１実施形態と同じである。
【００５１】
すなわち、図７に示すように、ステップＳ７１〜Ｓ８０までの動作は、図５に示すステップＳ３１〜Ｓ４０までの動作と同じである。ＴＡ１９からの呼出信号がプレリンガー信号である場合、端末網制御装置１５は、設定表示装置２６に正常終了したことを表す情報を送信することにより、設置工事者に知らせる（ステップＳ８１）。
【００５２】
呼出信号がリンガー信号である場合、ＴＡ１９の設定が正常にできていないので、端末網制御装置１５は再度ＴＡ１９の設定を試みる。この場合、ＴＡ１９に対する設定データは正しいが、送信タイミングだけが相違しているため、設定できない。そこで、端末網制御装置１５は、前回設定データを送出したときのＰＢ信号の送信時間と休止時間およびフッキング時間のデータを設定表示装置２６に送信する（ステップＳ８２）。設定表示装置は、送信時間と休止時間およびフッキング時間の送信タイミングのパターンを変更したデータを端末網制御装置１５へ送信する（ステップＳ８３）。端末網制御装置１５は、設定表示装置から変更されたデータを受信し（ステップＳ８４）、ＰＢ信号の送信時間、休止時間およびフッキング時間を変更した設定データをＴＡ１９に再送出する（ステップＳ８５）。
【００５３】
そして、一定時間経過した後、ステップＳ７９に戻り、センタ側装置１１または携帯電話から端末網制御装置１５の呼び出しを行う。端末網制御装置１５は、第１実施形態と同様に、ＴＡ１９からの呼出信号によって発信者番号通知機能が有効になっているかを確認し、有効になっていない場合は、上記の動作を繰り返す。
【００５４】
設定表示装置２６において、送信タイミングを適宜入力すれば、新機種のＴＡ１９であっても、そのＴＡ１９に適合した送信タイミングを選定できる。したがって、ＴＡ１９に対して必ず発信者番号通知機能を有効にする動作モードを設定することができる。また、端末網制御装置１５は、送信タイミングのパターンを記憶する必要がなく、ＴＡ１９の発信者番号通知機能を有効にするためのデータをすべて外部機器から入手でき、どのようなＴＡ１９でも設定することが可能となる。
【００５５】
（第４実施形態）
本実施形態では、端末網制御装置１５が、センタ側装置１１から発信者番号通知機能を有効にするための設定データを入手するだけでなく、これ以外の他の機能を設定するための設定データも入手する手段と、発信者番号通知機能の設定終了後に他の機能を設定するための設定データをＴＡ１９に送出して他の機能を設定する手段とを備える。なお、発信者番号通知機能を有効にするための設定については、上記第１〜第３実施形態と同じである。
【００５６】
端末網制御装置１５は、センタ側装置１１に発信して、設定データを入手する。このとき、発信者番号通知機能を有効にするための設定データとともに、他の機能を設定するための設定データも入手し、メモリに記憶する。そして、発信者番号通知機能を有効にするための設定が正常に終了した後、端末網制御装置１５は、他の機能を設定するための設定データをＰＢ信号によりＴＡ１９に連続して送出する。ＴＡ１９は、受信した設定データにしたがって要求された機能を設定する。
【００５７】
発信者番号通知機能を有効にするための設定が失敗した場合、ＴＡ１９に対する設定データの送信タイミングに不適合があるので、他の機能も設定できない。そこで、端末網制御装置１５は、他の機能を設定するための設定データの送出を行わず、センタ側装置１１へ異常終了を通報するか、あるいは端末網制御装置１５にＬＥＤ表示器や液晶ディスプレイ等の表示部が設けられている場合には、ＬＥＤ表示器を点滅したり、液晶ディスプレイに文字や図形、絵などを表示することにより、異常終了したことを報知してもよい。あるいは、設定表示装置２６に設けられたＬＥＤ表示器や液晶ディスプレイ等の表示部に設定が異常終了したことを表示してもよい。また、センタ側装置１１への通報と表示部での表示の両方を行ってもよい。
【００５８】
このように端末網制御装置１５は、ＴＡ１９に１つの機能を設定できたことを確認してから他の機能の設定動作を行う。他の機能としては、例えばサブアドレス通知機能がある。ＴＡ１９に端末網制御装置１５のほかに並列に複数の電話機が接続されている場合、端末網制御装置１５が接続されている端子のみサブアドレス通知機能が動作するように設定する。センタ側装置１１がサブアドレス付きのダイヤルをすると、端末網制御装置１５が接続されている端子のみにアクセスすることができ、他の複数の電話機を鳴動させるのを防ぐことができる。したがって、ＴＡ１９の機能を設定できない事態が生じた場合、設定動作を繰り返すことがなくなり、無駄な動作を排除でき、効率よくＴＡ１９を設定することができる。
【００５９】
（第５実施形態）
第１〜第４実施形態において、ＴＡ１９に発信者番号通知機能を有効にするための設定ができない場合、端末網制御装置１５に対してＩＳＤＮ通信方式によるセンタ側装置１１からの起動が行えない。そこで、端末網制御装置１５は、ＴＡ１９からリンガー信号が送信されることを利用して、リンギング着信通信方式によりセンタ側装置１１と通信を行う動作モードを実行する。
【００６０】
また、ＩＳＤＮ通信方式による起動が行えない場合、リンギング着信通信方式に変更する代わりに、端末網制御装置１５は、端末側からセンタ側装置１１に発信する動作モードに変更し、ＴＡ１９を通じての呼出信号を無視して、端末網制御装置１５からセンタ側装置１１に定期的に発信を行うようにしてもよい。なお、ＩＳＤＮ通信方式が可能となるように、後日ＴＡ１９の設定を直接行うようにしてもよい。
【００６１】
このように、データ通信システムのフェイルセーフとして、端末網制御装置１５が自動的に通信方式を変更することにより、少なくともセンタ側装置１１との通信は行える。したがって、信頼性の高いデータ通信システムを構築することができる。
【００６２】
なお、本発明は、上記実施形態に限定されるものではなく、本発明の範囲内で上記実施形態に多くの修正および変更を加え得ることは勿論である。各実施形態の端末網制御装置を携帯電話、ＰＨＳ等の移動電話回線といったデジタル回線や、ＬＡＮ、ＷＡＮにおけるデジタル回線に適用してもよい。発信者番号としては、電話番号以外にも、ＩＰアドレスやＭＡＣアドレス等のセンタ側装置を特定できる識別符号が考えられる。
【図面の簡単な説明】
【００６３】
【図１】本発明のＩＳＤＮ回線を使用したデータ通信システムの全体構成図
【図２】端末網制御装置の概略構成を示すブロック図
【図３】ＩＳＤＮ通信方式の通信フローチャート
【図４】リンギング着信通信方式の通信フローチャート
【図５】第１実施形態におけるＴＡ設定動作のフローチャート
【図６】第２実施形態におけるＴＡ設定動作のフローチャート
【図７】第３実施形態におけるＴＡ設定動作のフローチャート
【図８】設定データの送信タイミングのパターン例を示す図
【符号の説明】
【００６４】
１１    センタ側装置
１２    センタ側交換局
１３    ＩＳＤＮ回線
１４    端末側交換局
１５    端末網制御装置
１６    メータ
１７    接点機器
１８    電話機
１９    ターミナルアダプタ（ＴＡ）
２６    設定表示装置
【図１】
2006041651.tif 000003
【図２】
2006041651.tif 000004
【図３】
2006041651.tif 000005
【図４】
2006041651.tif 000006
【図５】
2006041651.tif 000007
【図６】
2006041651.tif 000008
【図７】
2006041651.tif 000009
【図８】
2006041651.tif 000010